【事件の表示】
　特願２０１６−２０８１８１「情報処理装置、情報提示システム、およびプログラム」拒絶査定不服審判事件について、次のとおり審決する。
【結　論】
　本件審判の請求は、成り立たない。
【理　由】
１．手続の経緯
　本願は、平成２８年１０月２４日付けの特許出願であって、平成２９年３月１７日付けで手続補正書が提出され、同年４月４日付けで拒絶査定がなされ（同査定の謄本の送達（発送）日　同月１１日）、これに対し、同年７月１１日に拒絶査定不服審判の請求及びこれと同時にする手続補正がなされ、さらに、当審において、同年９月１４日付けで拒絶理由を通知したところ、指定期間内の同年１１月２０日付けで意見書及び手続補正書が提出されたものである。
　
２．本願の発明
　本願の請求項１ないし５に係る発明は、平成２９年１１月２０日付けの手続補正書で補正された特許請求の範囲の請求項１ないし５に記載された事項によって特定される発明であり、請求項１に係る発明（以下「本願発明」という。）は次のとおりのものである。
　「センサ容器と別体で設けられた情報処理装置であって、
　前記センサ容器から前記センサ容器の傾きを示す角度を受信する通信部と、
　受信した前記センサ容器の傾きを示す角度に基づいて、前記センサ容器の内容物の残量の推定値を推定する制御部と、を備え、
　前記通信部は、推定された前記残量の推定値を外部に送信する、
情報処理装置。」
　
３．当審で指摘した拒絶理由の概要
　当審において平成２９年９月１４日付けで通知した拒絶の理由は、特許法第２９条第２項の規定に係る理由１と、同第３６条第６項第２号の規定に係る理由２である。
　理由２については、上記の平成２９年１１月２０日付けの手続補正書が提出されて、補正前の「センサ容器の姿勢を一意に示す数値」という記載を「センサ容器の傾きを示す角度」という記載に補正されたことによって解消した。
　一方、上記拒絶の理由１の概要は、本願の請求項１ないし７（上記の平成２９年１１月２０日付けの手続補正によって、当該補正前の請求項２、５は削除された。）の発明は，本願の出願前の平成１３年８月２４日に頒布された特開２００１−２２９４６６号公報（以下「引用例１」という。）、及び同じく平成２４年９月１０日に頒布された特開２０１２−１７０５２５号公報（以下「引用例２」という。）に記載された発明に基づいて、当業者が容易に発明をすることができたものであるから、上記各請求項の発明については特許法第２９条第２項の規定によって特許を受けることができないとするもので、以下、この拒絶の理由１について検討する。
　
４．引用例の記載事項と引用発明
（１）引用例１には、図面と共に次の事項が記載されている。（なお、下線は審決で付した。引用例２についても同じ。）
ア．「【０００１】
【発明の属する技術分野】本発明は、大規模飲食店やドリンクカフェなどに設置されているセルフサービスでドリンク類を取りに行くドリンクバーの管理方法に関わり、より詳細には、
ドリンク保管手段にドリンク残量検出手段を付設し
イ．「【００１８】
【発明の実施の形態】図１に示す、本発明によるドリンクバー管理システムの一実施例の概略システム図を用いて、本発明によるドリンクバー管理システムの構成と動作を概略説明する。実施例のドリンクバー管理システムは、売上入力や売上精算を行なうＰＯＳ端末４と、店舗内の構内通信回線６と、
ガラス容器やショーケースなどを有するドリンクバー２に保管しているドリンクの残量を検出するドリンク残量検出手段１０、ドリンク残量検出手段１０からのデータに基づいてドリンク残量を管理するドリンク管理手段１１、ドリンク管理データを記憶するデータ記憶手段１２、構内通信回線６と通信接続する通信手段１３とを有するドリンクバー管理装置１
ウ．「【００１９】  お茶、果汁、アルコール飲料、乳飲料などの
各種ドリンクは、ガラスポット２６、ガラスジャーなどのドリンク容器
ドリンク保管手段に保管され
ドリンク保管手段には各種のドリンク残量検出手段１０が付設され
ドリンク残量検出手段１０は間接的なドリンク残量データを検出し、ドリンク管理手段１１は該ドリンク残量データに基づいて直接的なドリンク残量データおよびドリンク消費データなどの管理データを管理演算し、該管理データはデータ記憶手段１２に管理記憶すると共に、該管理データを構内通信回線６を経由して店舗サーバ３に送出する
エ．「【００２１】  図２に示す、本発明によるドリンクバー管理装置の一実施例の要部ブロック図を用いて、ドリンクバー管理装置１の構成と動作を詳細説明する。実施例のドリンクバー管理装置１は、ガラス容器やショーケース２１などのドリンク保管手段を有するドリンクバー２、ドリンク保管手段に保管しているドリンクボトルの個数を検出する個数検出センサ１０ｂと
ドリンクの液面高を検出する液面検出センサ１０ｃ
を有するドリンク残量検出手段１０
ドリンク残量検出手段１０からのデータに基づいてドリンク残量を演算する
ドリンク管理手段１１
通信手段１３などで標準構成されている
【００２２】  さらに、
ドリンク残量検出手段に、ドリンク保管手段２６の重量を含むドリンクの重量を検出する重量検出手段２７（電熱ヒータに内蔵）である重量検出センサ１０ｆ
ガラスのように透明性のあるドリンク保管手段のドリンク液面高を検出する液面高検出手段である液面検出センサ１０ｃ、蛇口やサイホンなど流量計測の容易なドリンク保管手段２２、２３のドリンク流量を検出する流量検出手段である流量検出センサ１０ｄ
ドリンク保管手段の底部液体圧力を検出する圧力検出手段
ドリンクの液面を示すフロート付のドリンク保管手段のフロート位置を検出するフロート検出手段である浮輪検出センサ１０ｅなど
　
　上記の記載事項を総合すると、引用例１には、次の発明（以下「引用発明１」という。）が記載されているものと認められる。
　「ガラス容器やショーケースなどを有するドリンクバー２に保管しているドリンクの残量を検出するドリンク残量検出手段１０、ドリンク残量検出手段１０からのデータに基づいてドリンク残量を管理するドリンク管理手段１１、ドリンク管理データを記憶するデータ記憶手段１２、構内通信回線６と通信接続する通信手段１３とを有するドリンクバー管理装置１において、
　各種ドリンクは、ガラスポット２６、ガラスジャーなどのドリンク容器やショーケース２１などのドリンク保管手段に保管され、
　ドリンク保管手段にドリンク残量検出手段を付設し、
　ドリンク残量検出手段１０は、ドリンク保管手段２６の重量を含むドリンクの重量を検出する重量検出手段２７（電熱ヒータに内蔵）である重量検出センサ１０ｆ、ガラスのように透明性のあるドリンク保管手段のドリンク液面高を検出する液面高検出手段である液面検出センサ１０ｃ、蛇口やサイホンなど流量計測の容易なドリンク保管手段２２、２３のドリンク流量を検出する流量検出手段である流量検出センサ１０ｄ、ドリンク保管手段の底部液体圧力を検出する圧力検出手段、ドリンクの液面を示すフロート付のドリンク保管手段のフロート位置を検出するフロート検出手段である浮輪検出センサ１０ｅなどを有して、間接的なドリンク残量データを検出し、
　ドリンク管理手段１１は、ドリンク残量検出手段１０からの該ドリンク残量データに基づいて直接的なドリンク残量データおよびドリンク消費データなどの管理データを管理演算し、該管理データはデータ記憶手段１２に管理記憶すると共に、該管理データを構内通信回線６を経由して店舗サーバ３に送出する、ドリンクバー管理装置１。」
　
（２）引用例２には、図面と共に次の事項が記載されている。
ア．「【００１９】
　図１は本発明の実施例１によるお代わりタイミング検知システムの全体構成を示す概略ブロック図である。図１において、
１は
飲み物を入れたグラス１０の底部に備えられた傾きセンサ
【００２０】
　次に、図２及び図３は本実施例１の傾きセンサ１（及び、お代わり信号送信部２）の構成及び動作を説明するための中央断面図である。図２，３において、１１は前記グラス１０の底面に固定される例えばプラスチック製の枠体・・・１２は前記枠体１１の図示上面に円周状に形成された第１溝部、１３は前記第１溝部１２と同心円状に且つこれよりも外周側であってこれよりもグラス１０の上下方向の高い位置において円周状に形成された第２溝部、１４は前記第１溝部１２と前記第２溝部１３との間を繋ぐように円周状に形成された傾斜面・・・、１３ａ，１３ｂは前記第２溝部１３の両端部にそれぞれ円周状に形成された電極、１５は前記第１溝部１２及び第２溝部１３の間を前記傾斜面１４を介して相互に移動可能な金属製小球、２は前記各電極１３ａ，１３ｂに接続されたお代わり信号送信部、１７は前記お代わり信号送信部に電力を供給する１次電池である。
【００２１】
　また、図２，３において、２１は円板状の永久磁石、２２は前記磁石２１が回動可能及び上下移動可能とするための空間、２３は前記磁石２１の回動中心に挿通され固定された雄ネジ、２４は前記空間２２の下方側に前記雄ネジ２３が螺入可能に形成された雌ネジ、２５は前記空間２２の上方側に前記雄ネジ２３が螺入可能に形成された雌ネジ、２６は前記雄ネジ２３の頭部であって前記雄ネジ２３を前記各雌ネジ２４，２５の中で回動させることにより前記磁石２１の前記空間２２内の上下方向の位置を調整するための頭部である。」
イ．「【００２２】
　次に本実施例１の動作を説明する。図４（ａ）はグラス１０の底部に前記枠体１１が取り付けられており、このグラス１０の中に飲み物（ビールやウイスキーなど）が注がれている場合を示している。・・・
【００２３】
　次に、図４（ｂ）は、お客が前記グラス１０を水平面に対して所定角度αだけ傾けた場合を示す・・・。この場合は、グラス１０の傾斜角度が前記枠体１１内の第１溝部１２及び第２溝部１３を繋ぐ傾斜面１４の角度β・・・よりも小さいため、・・・前記お代わり信号送信部２も作動しない。
【００２４】
　次に、図４（ｃ）は、お客が前記グラス１０を水平面に対して所定角度βよりも大きく傾けた場合を示すものである。この場合は、グラス１０の傾斜角度が前記枠体１１内の第１溝部１２及び第２溝部１３を繋ぐ傾斜面１４の角度βよりも大きくなり、前記小球１５は自重により第１溝部１２から傾斜面１４を介して第２溝部１３に移動する。その結果、前記各電極１３ａ，１３ｂは前記小球１５を介して互いに導通し、前記お代わり信号送信部２に電力が供給され、前記お代わり信号送信部２からお代わり信号が無線送信される。」
ウ．「【００２５】
　・・・図２，３に関して説明した前記磁石２１の動作を説明する。・・・店員が前記頭部２６を持って前記雄ネジ２３を左右いずれかの方向に回動させて前記磁石２１の図示上下方向の位置を調整することにより、前記磁石２１・・・から前記小球１５に及ぼされる磁力の大きさが調整される。その結果、・・・どのくらいの傾きで前記小球１５が移動するようになるかを、調整することができる。よって、店員は、各グラス毎に、グラス１０がどのくらい傾けられたら前記小球１５が移動してお代わり信号が送信されるようにするかを調整することができる。
【００２６】
　次に、前述のように、前記傾きセンサ１において前記小球１５が前記第１溝部１２から第２溝部１３に移動して前記各電極１３ａ，１３ｂ間が導通されたときは、前記お代わり信号送信部２に電力が供給されて前記お代わり信号送信部２からお代わり信号が無線送信される。この無線送信されたお代わり信号は、店員側のエリア、例えばカウンターや厨房の中に設置された信号受信部３（図１参照）で受信される。すると、この信号受信部３からの信号に基づいて、アラーム発生部４・・・が所定の光を点滅・発光させる。これにより、店員はいずれかのお客が
グラスを所定角度以上に傾けたこと、すなわち、
グラス１０内の飲み物が所定量以上減ったことをタイミング良く知ることができ
エ．「【００３１】
　また、前記実施例１においては、前記傾きセンサ１を構成する小球１５が前記２溝部１３に移動して前記各電極１３ａ，１３ｂを導通させることにより前記お代わり信号送信部２に電力を供給しこれにより前記お代わり信号送信部２を作動させるようにしているが、本発明では、
前記傾きセンサ１からの出力をマイクロコンピュータなどから成る制御部が受信し、前記制御部が、前記傾きセンサ１からの出力に基づいて、前記傾きセンサ１とは別個に構成されたお代わり信号送信部を制御するようにして
オ．上記「ウ（段落【００２６】）」及び「エ」の記載から、「
グラス１０内の飲み物が所定量以上減ったことを示す信号をマイクロコンピュータなどから成る制御部に出力している
　
　上記の記載事項を総合すると、引用例２には、次の発明（以下「引用発明２」という。）が記載されているものと認められる。
　「グラスを所定角度以上に傾けたこと、すなわち、グラス１０内の飲み物が所定量以上減ったことをタイミング良く知ることができるようにするために、飲み物を入れたグラス１０の底部に備えられた傾きセンサ１からの出力をマイクロコンピュータなどから成る制御部が受信し、前記傾きセンサ１からの出力に基づいて、前記傾きセンサ１とは別個に構成されたお代わり信号送信部を制御する制御部。」
　
５．対比
　本願発明と引用発明１とを対比する。
　後者では、「（ガラスポット２６、ガラスジャーなどのドリンク容器やショーケース２１などの）ドリンク保管手段」と、例えば「重量検出センサ１０ｆや液面検出センサ１０ｃなどのセンサ」とによって、前者の「センサ容器」に相当するものが形成されている。
　また、後者では「ドリンク管理手段１１、データ記憶手段１２、及び通信手段１３」によって、ドリンク容器内のドリンク残量に関する情報を処理するのであるから、これらの手段は前者の「情報処理装置」に相当するものを構成しているといえる。
　また、後者でいう「間接的なドリンク残量データ」とは、「ドリンク残量検出手段」の出力値であるから、後者の「間接的なドリンク残量データ」と前者の「センサ容器の傾きを示す角度」とは、「センサ容器の内容物の残量の推定値を推定するためのデータ」との概念で共通する。
　してみると、後者の「（ドリンク残量検出手段１０からの）該ドリンク残量データに基づいて直接的なドリンク残量データおよびドリンク消費データなどの管理データを管理演算するドリンク管理手段１１」と前者の「センサ容器の傾きを示す角度に基づいて、前記センサ容器の内容物の残量の推定値を推定する制御部」とは、「センサ容器の内容物の残量の推定値を推定するためのデータに基づいて、前記センサ容器の内容物の残量の推定値を推定する制御部」との概念で共通する。
　更に、後者の「構内通信回線６と通信接続する通信手段１３」は「直接的なドリンク残量データおよびドリンク消費データなどの管理データ」を「構内通信回線６を経由して店舗サーバ３に送出する」ところから、前者の「推定された残量の推定値を外部に送信する通信部」に相当する。
　したがって、両者は、
　「センサ容器と情報処理装置であって、
　通信部と、
　前記センサ容器の内容物の残量の推定値を推定するためのデータに基づいて、前記センサ容器の内容物の残量の推定値を推定する制御部と、を備え、
　前記通信部は、推定された前記残量の推定値を外部に送信する、
　情報処理装置。」
　の点で一致し、以下の点で相違している。
　［相違点１］
　本願発明では、センサ容器と情報処理装置とが「別体」であるのに対し、引用発明１では、ドリンク保管手段と例えば重量検出センサ１０ｆや液面検出センサ１０ｃなどのセンサとなるもの（センサ容器）とドリンク管理手段１１、データ記憶手段１２、及び通信手段１３（情報処理装置）とが、別体で設けられているか否かは明確ではない点。
　［相違点２］
　本願発明では、「センサ容器からセンサ容器の傾きを示す角度を受信する」通信部、及び「受信した前記センサ容器の傾きを示す角度に基づいて、」前記センサ容器の内容物の残量の推定値を推定する制御部と、を備えるのに対し、引用発明１では、通信手段１３を有するものの「センサ容器からセンサ容器の傾きを示す角度を受信する」ものではなく、ドリンク管理手段１１を有するものの「受信した前記センサ容器の傾きを示す角度に基づいて、」前記センサ容器の内容物の残量の推定値を推定するものではない点。
　　
６．当審の判断
（１）上記の相違点１について検討する。
　引用発明２における「グラス１０の底部に備えられた傾きセンサ１」は、本願発明の「センサ容器」に相当し、同じく「制御部」は、傾きセンサ１からの出力を受信し、前記傾きセンサ１からの出力に基づいて、前記傾きセンサ１とは別個に構成されたお代わり信号送信部を制御するから、「情報処理装置」に相当するものといえる。
　また、引用発明２では、傾きセンサ１からの出力に基づいて、傾きセンサ１とは別個に構成されたお代わり信号送信部を制御しているから、傾きセンサ１と信号送信部とは別個に構成されているといえ、制御部は、傾きセンサ１からの出力を受信していることから、「制御部（情報処理装置）」も「傾きセンサ１（センサ容器）」とは別個に構成することを示唆したものと解しうる。
　そして、引用発明１においては、ドリンク保管手段と例えば重量検出センサ１０ｆや液面検出センサ１０ｃなどのセンサとなるもの（センサ容器）とドリンク管理手段１１、データ記憶手段１２、及び通信手段１３（情報処理装置）とは、別体で設けられているか否かの何れかである。
　また、本願発明において、センサ容器と情報処理装置とを別体としたことによって奏される格別の作用効果はない。
　以上を踏まえれば、引用発明１において、上記相違点１に係る本願発明の発明特定事項とすることは、当業者であれば容易に想到しうる程度の事項といえる。
（２）次に、上記の相違点２について検討する。
　引用発明２における「傾きセンサからの出力」とは、少なくともグラスを所定角度以上に傾けたことを信号として出力していることは明からであるから、「傾きセンサ」は、「センサ容器の傾きを示す角度を検出している」といえる。
　また、引用発明２における「傾きセンサ」により、センサ容器の傾きを示す角度の検出して、グラス１０内の飲み物が所定量以上減ったことを知ることができるのであるから、グラス内の飲み物の残量を検出しているといえる。
　そして、引用発明１と引用発明２とは、共に「情報処理装置」という技術分野に属し、センサ容器のセンサの出力値に基づいて、センサ容器の内容物の残量の推定値を推定するという共通する機能、作用を有し、容器の内容物の残量に関する情報を得る技術の利便性を向上させるという共通の課題を有するものであるから、引用発明１に引用発明２を適用することは、当業者が容易に想到し得るものである。
　したがって、引用発明１において、引用発明２を適用することにより、相違点２に係る本願発明の「受信した前記センサ容器の傾きを示す角度に基づいて、」前記センサ容器の内容物の残量の推定値を推定する制御部を備えるとの発明特定事項とすることは、当業者が容易に想到し得るものである。
　また、上記「（１）」を踏まえて、引用発明１において、ドリンク保管手段と例えば重量検出センサ１０ｆや液面検出センサ１０ｃなどのセンサとなるもの（センサ容器）とドリンク管理手段１１、データ記憶手段１２、及び通信手段１３（情報処理装置）とを「別体」に設ければ、必然的に引用発明１の「通信手段１３」において、「ドリンク保管手段と例えば重量検出センサ１０ｆや液面検出センサ１０ｃなどのセンサとなるもの（センサ容器）からセンサ容器の傾きを示す角度を受信する」ことになるから、相違点２に係る本願発明の「センサ容器からセンサ容器の傾きを示す角度を受信する」通信部を備えるとの発明特定事項とすることは、当業者が容易に想到し得るものである。
　そして、本願発明の発明特定事項の全体によって奏される効果も、引用発明１、２に基づいて、当業者が予測し得る範囲内のものである。
　
７．むすび
　以上のとおり、本願発明は、引用発明１、２に基づいて当業者が容易に発明をすることができたものであるから、特許法第２９条第２項の規定により特許を受けることができない。
　
　よって、結論のとおり審決する。